(57)【要約】      （修正有）【課題】鴨居に掛止して、ハンガーなどを掛止することを目的とした鴨居掛け具の提供。【解決手段】二本の湾曲本体１の基端部を回動自在に軸支し、前記湾曲本体の先端部を挟着部１１とすると共に、該部に掛止部を設け、前記湾曲本体の軸支部に弾性条を取付けて、前記挟着部を挟着方向に付勢し、前記湾曲本体に、掛止片を取付けたことを特徴とする鴨居掛け具。【選択図】図３
0003118086.tif 000002
【実用新案登録請求の範囲】
【請求項１】
二本の湾曲本体の基端部を回動自在に軸支し、前記湾曲本体の先端部を挟着部とすると共に、該部に掛止部を設け、前記湾曲本体の軸支部に弾性条を取付けて、前記挟着部を挟着方向に付勢し、前記湾曲本体に、掛止片を取付けたことを特徴とする鴨居掛け具。
【請求項２】
二本の湾曲本体の基端部を重ねて、回動自在に軸杆により支持し、前記湾曲本体の先端部内側を挟着部とすると共に、該挟着部の下側を掛止部とし、前記湾曲本体の基部側の外側へ、掛止杆の基端を夫々９０度以内に回動自在に軸支し、前記湾曲本体の軸杆に弾性線条を取付けて、前記湾曲本体の挟着部を当接側へ付勢し、前記軸杆の外側へ、弾性の掛止条を昇降可能に取付けたことを特徴とする鴨居掛け具。
【請求項３】
掛止杆は、上面に凹入部を連設して、ハンガー掛け凹部としたことを特徴とする請求項２記載の鴨居掛け具。
【請求項４】
掛止杆は、湾曲本体の外側凹入溝へ収容されたことを特徴とする請求項１記載の鴨居掛け具。
【請求項５】
湾曲本体の挟着部は当接面とすると共に、一方に凸部を設け、他方の凹部へ嵌合させたことを特徴とする請求項１記載の鴨居掛け具。
【考案の詳細な説明】
【技術分野】
【０００１】
この考案は、ふとん挟みにも使用し得る鴨居等の横杆に挟着掛け具として用いることを目的とした鴨居掛け具に関する。
【背景技術】
【０００２】
従来自由開放端に支持部を有する湾曲本体の下部にフックを設け、輪ゴムにより前記支持部を内側へ付勢した輪ゴム式かもいハンガーが知られている。
【０００３】
またＳ字状本体に、可動針金を取付け、フック部と、可動針金でかもいを挟着するようにしたハンガーフックも知られていた。
【特許文献１】実開昭６３−１０９７７
【特許文献２】特開２０００−１３９６７４
【考案の開示】
【考案が解決しようとする課題】
【０００４】
前記従来の鴨居掛けは、本体と輪ゴムの共用であったり（特許文献１）、Ｓ字型本体に針金を組み合せたり（特許文献２）しており、何れもフック１つが、ハンガーなどの掛止に耐える構造であって、複数のハンガーに使用することはできない問題点があった。
【０００５】
また鴨居掛け専用であって、不使用時の効用は皆無であり、単純なだけに使用頻度が低い問題点があった。
【０００６】
また従来ふとん挟みは、各種構造のものが知られているが、その多くは、ふとん挟み専用であって、用途が限定され、使用頻度が低い問題点があった。
【課題を解決するための手段】
【０００７】
この考案は、ふとん挟みの挟着部分を、鴨居の固定部に利用し、ハンガーなどを掛止する為の掛止杆を設けるなどの工夫を加えて、ふとん挟み兼用の鴨居掛け具を提案し、前記従来の問題点を解決したのである。
【０００８】
前記鴨居掛け具については、使用中に外れないことが肝要であり、掛止部は複数箇所が好ましいなどの要請にも応え得るものである。前記要請については、ふとん挟みの付勢力を、掛止力の増強に使用し、掛止部の増加については、複数の掛止部を設けるなどの工夫を加えたものである。
【０００９】
即ちこの考案は、二本の湾曲本体の基端部を回動自在に軸支し、前記湾曲本体の先端部を挟着部とすると共に、該部に掛止部を設け、前記湾曲本体の軸支部に弾性条を取付けて、前記挟着部を挟着方向に付勢し、前記湾曲本体に、掛止片を取付けたことを特徴とする鴨居掛け具であり、二本の湾曲本体の基端部を重ねて、回動自在に軸杆により支持し、前記湾曲本体の先端部内側を挟着部とすると共に、該挟着部の下側を掛止部とし、前記湾曲本体の基部側の外側へ、掛止杆の基端を夫々９０度以内に回動自在に軸支し、前記湾曲本体の軸杆に弾性線条を取付けて、前記湾曲本体の挟着部を当接側へ付勢し、前記軸杆の外側へ、弾性の掛止条を昇降可能に取付けたことを特徴とする鴨居掛け具である。
【００１０】
また、掛止杆は、上面に凹入部を連設して、ハンガー掛け凹部としたものである。次に、掛止杆は、湾曲本体の外側凹入溝へ収容されたものであり、湾曲本体の挟着部は当接面とすると共に、一方に凸部を設け、他方の凹部へ嵌合させたものである。
【００１１】
前記のように、この考案は、鴨居掛け具と、ふとん挟みとを兼用できるようにすることを第１とし、ついで、ハンガーなどの掛止部を複数にすると共に、スプリングの付勢力を利用して、挟み力を確保するなどの特徴を具備させたものである。
【００１２】
従って、ふとん挟みと兼用し得る構造、ハンガーなどを掛止できる掛止部の複数化について特徴を有するものである。掛止部の複数化については、従来知られている技術を採用することができる（例えば掛止杆を長くしたり、掛止杆の掛止面に凹凸をつけて滑りを防止する）。
【００１３】
この考案の、湾曲本体の形状については特別の形状構造を求めるものでなく、挟み力が大きく、ふとん挟みに使用し得る開き幅を有すると共に、挟着力に耐え得る強度を有することが肝要である。
【００１４】
この考案の鴨居掛け具の材質は、従来ふとん挟みに使用されている耐候性合成樹脂であって、付勢弾力はスプリング線材など、従来使用の弾性材を使用する。
【００１５】
この考案の鴨居掛け具の色彩については、特に指定はなく、従来ふとん挟みに使用した色彩を使用することができる。
【００１６】
前記材質としては、例えば塩化ビニール、ナイロン、塩化ビニリデン、ポリプロピレン、ポリウレタンなど、耐候性の大きい材質を用いる。特にふとん挟みは、太陽光線の多く当る屋外使用が多いので、耐候性の大きいことは必須要件となる。
【考案の効果】
【００１７】
この考案によれば、ふとん挟みと、鴨居掛け具とを兼用し得るので、使用頻度を増大する効果がある。
【００１８】
また鴨居掛け具としては、適度の数（例えば３以上）のハンガー掛け部を保有させたので、室内におけるハンガーを掛止するものとして最適である。
【考案を実施するための最良の形態】
【００１９】
この考案によれば、二本の湾曲本体の基端部を重ねて、軸杆で回動自在に軸支し、前記湾曲本体の先端部内側に挟着部を設けると共に、その下部へ掛止部を設け、前記湾曲本体の基部側へ、掛止杆の基部を夫々９０度以内に回動自在に軸支し、前記湾曲本体の軸杆に弾性条を取付けて、前記挟着部を挟着側へ付勢し、前記軸杆付近に、弾性掛止条を昇降可能に取付けて、前記挟着部を挟着側へ付勢可能とすると共に、掛止部として、この考案の鴨居掛け具を構成した。
【００２０】
前記における掛止杆の長短は自在であり、ハンガーなどを１つ又は複数掛止することができる。
【００２１】
前記弾性掛止条は、断面円形又は矩形の何れでもよく、要はハンガーなどのフックを掛止すると共に、不使用時には収容して湾曲本体を付勢することが好ましい。
【００２２】
前記弾性掛止条は、昇降収容しない場合であっても、付勢することが好ましいが、収容した方がふとん挟みとして使用した際に取扱いが容易であり、かつ挟着部の付勢力を強化することもできる。
【００２３】
前記掛止杆は、長短何れでもよく、掛止部の数も単一又は複数とすることができる。
【００２４】
また掛止杆は、元来ハンガーなどのフックを掛止する目的で設けたものであって、目的を達成できて安定性を保つ限り、形状にこだわらない。
【実施例１】
【００２５】
断面コ状の二本の湾曲本体１、１の基端に設けた取付片２、２ａを重ね、これに軸杆３を挿通して回転自在に取付けると共に、前記軸杆３へスプリング４を遊嵌し、スプリング４の両端を夫々湾曲本体１、１に固定して、湾曲本体を閉鎖側へ付勢する。また前記取付片２、２ａに孔を設け、この孔に掛止条５の両端を挿通して、挿脱自在に取り付け、挿入時に、前記掛止条５の先端部５ａはその挿入時に、前記湾曲本体１、１を閉鎖側へ付勢させ、引出時に、側面Ｕ字状の掛止部５ａを形成したものである。
【００２６】
また前記湾曲本体１、１の基部側には、掛止杆６、６を軸杆７、７で回動自在に取付け、前記掛止杆６、６の基部外側に段部６ａ、６ａを設けて、湾曲本体１、１のストッパー８、８と当接固定させ、前記掛止杆６、６をほぼ水平に支持させて、ハンガー９の吊下姿勢を制御して、この考案の鴨居掛け具１０を構成した。前記掛止杆６の凹入部６ｂへハンガー９のフックを掛ける。
【００２７】
この考案の鴨居掛け具１０は、湾曲本体１、１の先端の挟着部１１、１１の下部へ設けた突出部１１ａ、１１ａを鴨居１２に掛止して安定吊下する（図３）。図中１３は先端に設けた透孔、１４は挟着部１１、１１の一方の挟着面１１ｂへ設けた凸起、１５は同じく凸起の挿入される凹入部である。
【００２８】
この考案の鴨居掛け具１０を使用するには、図１中掛止条５を矢示１６のように引上げた後、湾曲本体１、１を矢示１７、１７のように引張って開き（図３）、先端挟着側の掛止部を鴨居１２の上面に掛止する。この場合にスプリング４により湾曲本体を挟着側に付勢しているので、不慮の外力により、外れるおそれはない。
【００２９】
また掛止杆６、６を矢示１９、１９のように９０度回転すれば、図３のように、ハンガーなどの掛止部を複数確保することができる。また矢示１８、１８のように回転すれば、掛止杆６、６は湾曲本体へ収容される。
【００３０】
この考案の鴨居掛け具は、湾曲本体を開くことにより、ふとん挟着具として使用することもできる。この場合には、掛止条５により、強力な挟着力を得ることができる。
【図面の簡単な説明】
【００３１】
【図１】この考案の実施例の閉鎖時の正面図。
【図２】（ａ）同じく拡大側面図、（ｂ）同じく湾曲本体の横断端面図。
【図３】同じく使用状態の正面図。
【符号の説明】
【００３２】
１  湾曲本体
２、２ａ  取付片
３、７  軸杆
４  スプリング
５  掛止条
６  掛止杆
８  ストッパー
１０  鴨居掛け具
１１  挟着部
【図１】
0003118086.tif 000003
【図２】
0003118086.tif 000004
【図３】
0003118086.tif 000005